(57)【特許請求の範囲】
【請求項１】
フックハンガーのバー部材に取着され、且つ該バー部材に吊り下げられる商品を所定位置に位置決めさせるためのフックハンガーストッパーにおいて、上記バー部材を挿入するための挿入孔、及び該バー挿入孔の挿入先方向に連続して形成され、且つ太さが異なる２以上の上記バー部材を固定させることができるバー固定孔が２個以上形成されているストッパー本体を備え、
上記ストッパー本体は、横断面形状において、左右両方に位置する脚部と、該脚部を連結する屋根部とからなり、該脚部の開放側は外側に拡がっており、この開放側拡がり部が上記バー挿入孔となっており、該バー挿入孔の挿入先方向には、所定の太さのバー部材を挿入固定できる第１バー固定孔が形成されており、上記脚部と上記屋根部との間には、略台形又は三角形の形状の第２バー固定孔が形成されており、該第２バー固定孔は上記第１バー固定孔に連続して形成されており、上記第２バー固定孔が固定できる上記バー部材の外径は、上記第１バー固定孔が固定できる上記バー部材と異なるバー部材の外径よりも小さいことを特徴とするフックハンガーストッパー。
【請求項２】
上記ストッパー本体の両端面のうちの少なくとも一方に、フランジ部が形成されており、且つ、該フランジにも、上記各バー挿入孔及び上記バー固定孔と同形状の空間が形成されている請求項１記載のフックハンガーストッパー。
【発明の詳細な説明】
【０００１】
【発明の属する技術分野】
本発明はフックハンガーストッパーに関し、更に詳しくは、バー部材に吊り下げられた商品が少なくなった場合、手前側にこの商品を配列でき、且つ２以上の外径をもつバー部材に取着できるフックハンガーストッパーに関する。
【０００２】
【従来の技術】
本来、バー部材に商品がほぼ満杯状態でつりさげられている場合は、この商品は略同一平面状に配置された状態になる。しかし、このバー部材に吊り下げられた商品が少なくなった場合、奥の方に商品が移動したり、また、バー部材が複数ある場合、商品の陳列状態が各バー部材によっては、バラバラの凹凸状態となる。従って、見栄えが悪くなるという問題点があった。
そのために、図９に示すように、中央に横断面が円形のバー固定孔を備える筒状のフックハンガーストッパーが知られている。
【０００３】
【発明が解決しようとする課題】
しかし、上記従来のフックハンガーストッパーにおいては、一種類の外径を持つバー部材にしか取着できなかった。そのため、太さの異なるバー部材に取着する場合には、異なった大きさのバー固定孔をもつフックハンガーストッパーを、各々、準備し使用する必要があり、大変煩雑であった。
本発明は、上記問題点を解決するものであり、バー部材に吊り下げられた商品が少なくなった場合、手前側にこの商品を配列でき、且つ２以上の外径をもつバー部材にも取着できるフックハンガーストッパーを提供することを目的とする。
【０００４】
【課題を解決するための手段】
本第１発明のフックハンガーストッパーは、フックハンガーのバー部材に取着され、且つ該バー部材に吊り下げられる商品を所定位置に位置決めさせるためのフックハンガーストッパーにおいて、上記バー部材を挿入するための挿入孔、及び該バー挿入孔の挿入先方向に連続して形成され、且つ太さが異なる２以上の上記バー部材を固定させることができるバー固定孔が２個以上形成されているストッパー本体を備え、上記ストッパー本体が、横断面形状において、左右両方に位置する脚部と、該脚部を連結する屋根部とからなり、該脚部の開放側は外側に拡がっており、この開放側拡がり部が上記バー挿入孔となっており、該バー挿入孔の挿入先方向には、所定の太さのバー部材を挿入固定できる第１バー固定孔が形成されており、上記脚部と上記屋根部との間には、略台形又は略三角形の形状の第２バー固定孔が形成されており、該第２バー固定孔は上記第１バー固定孔に連続して形成されており、上記第２バー固定孔が固定できる上記バー部材の外径は、上記第１バー固定孔が固定できる上記バー部材と異なるバー部材の外径よりも小さいことを特徴とする。
上記「バー固定孔」の数は、２個以上であればよく、通常、２個、３個又は４個である。そして、この２個以上のバー固定孔の配列方法も、特に限定されず、例えば、図１及び図５等に示すように、団子状等に上下に連続して積み重ねられるものでもよいし、図６及び図８に示すように、所定の間隔をもった横列配列でもよい。更に、バー固定孔の形状は、所定のバー部材を把持できて固定できる形状であれば特に限定されず、例えば、切り欠かれた円形（図５及び図６参照）又は楕円形でもよいし、更には略台形形状又は略三角形形状（図１のＫ２）等であってもよい。尚、複数の固定孔を有する場合は、これらを組み合わせたものであってもよい（例えば図１のＫ１とＫ２参照）。
尚、１個のバー固定孔には、ストッパー本体の弾性作用によりバー固定孔が拡張幅されるため、ある程度の幅をもった外径のバー部材を挿入できる。例えば、実施例１に示す孔径Ｋ１が３．８〜４．０ｍｍの場合には、約５ｍｍφのみならず、約６ｍｍφの外径（もちろん、その間の大きさを含む。）をもつバー部材を挿入、固定できる。これは、以下に示す発明についても、同様に適用される。
【０００５】
【課題を解決するための手段】
上記第１バー固定孔の形状は、上記第１発明にて説明するように、所定のバー部材を把持できて固定できる形状であれば特に限定されず、例えば、切り欠かれた円形又は略台形形状若しくは略三角形形状、更に、これらを組み合わせたもの等とすることができる。また、上記第２バー固定孔に用いられる「略台形又は略三角形の形状」とは、図１に示す形状（Ｋ２）に限らず、その種々の変形形状とすることができる。
尚、図１において、手前側のバー固定孔Ｋ１が１個であるが、このバー固定孔Ｋ１の更に挿入方向側（奥側、先端側）又は手前側に、更に１個又は２個を団子状に積み重ねてもよいし、更に、バー固定孔Ｋ２の更に挿入方向側に、更に、連結したバー固定孔（切り欠き円形形状又は略台形形状若しくは三角形形状等）を設けることもできる。また、上記屋根部は上記脚部間長さよりも大きくなっているが、これに限定されず、例えば、同長さのものに変形することもできる。
【０００８】
本第２発明のフックハンガーストッパーは、上記ストッパー本体の両端面のうちの少なくとも一方に、フランジ部が形成されており、且つ、該フランジにも、上記各バー挿入孔及び上記バー固定孔と同形状の空間が形成されているものである。尚、このフランジ部の外形形状は特に限定されず、円形形状（図１、図５参照）のみならず、四角形（図７参照）等の多角形状、楕円形状等とすることができる。
【０００９】
【発明の実施の形態】
以下、図１〜３に示すように、本発明のフックハンガーストッパーを実施例によって詳細に説明する。
本フックハンガーストッパー（以下、「ストッパー」という。）１は、フックハンガーのバー部材２に取着され、且つこのバー部材２に吊り下げられる商品（以下、「吊り下げ商品」という。）３を所定位置に位置決めさせるためのものである（図３参照）。
本ストッパー１は、ポリアセタール製の一体成型物であり、ストッパー本体１１と、このストッパー本体１１の両端面のうちの一方の端面（図１では裏面）に、形成されているフランジ部１２と、からなる。
【００１０】
上記ストッパー本体１１は、図１でいう表裏方向において同一横断面形状を有しており、この横断面形状において、左右両方に位置する脚部１１ａ，１１ｂと、この脚部１１ａ，１１ｂを連結する屋根部１１ｃとからなる。この各脚部１１ａ，１１ｂの開放側は外側に拡がっており、この開放側拡がり部が上記バー挿入孔Ｓとなっている。
また、バー挿入孔Ｓの挿入先方向には、所定の太さ（例えば５〜６ｍｍφ）のバー部材２を挿入固定できる第１バー固定孔（内径：約４．２〜４．６ｍｍφ）Ｋ１が形成されている。尚、第１固定孔Ｋ１の内径よりも固定できるバー部材２Ａ，２Ｂの外径の方が大きいのは、太いバー部材２Ａ，２Ｂの強制的な挿入により、第１固定孔Ｋ１がその弾性作用により拡幅して、しっかりと挟持して固定できるのである［図２の（Ｂ）及び（Ｃ）参照］。
【００１１】
脚部１１ａ，１１ｂと屋根部１１ｃとの間には、略台形又は三角形の形状の第２バー固定孔Ｋ２が形成されている。
この第２バー固定孔Ｋ２は、第１バー固定孔Ｋ１に連続して形成されており、第１バー固定孔Ｋ１が固定できるバー部材２Ａ，２Ｂの外径（例えば５〜６ｍｍφ）よりも小さい外径（例えば約４ｍｍφ）を有するバー部材２Ｃを、固定するものである［図２の（Ａ）参照］。
【００１２】
上記フランジ１２は、ストッパー本体１１の両端面のうちの一方（図１では裏面側）に、ストッパー本体と同材料で一体的に形成されている。そして、このフランジ１２にも、バー挿入孔Ｓ及び各バー固定孔Ｋ１，Ｋ２と同形状の空間が形成されている。
【００１３】
このストッパーは、図３に示すように、フックハンガーのバー部材２に取着され、吊り下げ商品３の吊り下げ位置が奥の方へ行かないように、位置決めをする。そして、この際、バー部材２の外径が５ｍｍφであるので、バー部材２Ａはこのストッパー１のバー固定孔Ｋ１に固定される［図２（Ｂ）参照］。更に、太さの異なるバー部材２Ｂ、例えば６ｍｍφの外径のものに、ストッパー１を固定させる場合も、この同ストッパー１のバー固定孔Ｋ１に、やや強く挿入することにより、固定できる。これは、ストッパー１の脚部１１ａ，１１ｂの弾性作用により更に拡幅するので、６ｍｍ程度のものまで挿入固定できる［図２（Ｃ）参照］。更に、太さの異なるバー部材２Ｃ、例えば４ｍｍφの外径のものに、ストッパー１を固定させる場合は、このストッパー１のバー固定孔Ｋ２にまで挿入するとこのバー固定孔Ｋ２内に、うまく固定できる［図２（Ａ）参照］。
尚、上記バー固定孔Ｋ１及びバー固定孔Ｋ２の大きさを適宜変えれば、適宜の外径を有する異なるバー部材を把持し固定できる。即ち、このバー固定孔Ｋ１及びバー固定孔Ｋ２の孔径をいずれもやや大きくすれば、このＫ１が９〜１０ｍｍφのバー部材を、このＫ２が８ｍｍφのバー部材を固定することもできる。
【００１４】
以上より、１つのストッパー１において、３種類の、太さの異なるバー部材を使用できる。従って、従来のように、３種類のストッパーを準備する必要がないので、大変便利である。また、ストッパー本体は、長く且つ外側に拡がった脚部を備えるので、この脚部の弾性に優れ、比較的太いバー部材をも挿入、固定できる。バー挿入孔が外側に開放されているので、バー部材の挿入が容易となる。更に、フランジ部を備えるので、ある程度の剛性があり耐久性にも優れる。また、構成材料がポリアセタールからなるので、機械的強度に強く、耐久性に優れ、繰り返し使用に強い。
尚、本発明においては、上記実施例に限らず、目的、用途に応じて本発明の範囲内で種々変更した実施例とすることができる。即ち、上記実施例において、構成材料はポリアセタールであるが、これに限らず、他の樹脂材料等、例えばポリプロプレン、ナイロン、ポリスルホン、ポリ塩化ビニル等を用いることができる。
【００１５】
【発明の効果】
本発明のフックハンガーストッパーは、２個以上のバー固定孔を有するので、１個の本ストッパーにおいて、２種類以上の太さの異なるバー部材に使用できる。従って、従来のように、１個のストッパーにて１種類の太さのバー部材にしか使用できない場合と比べると、何種類ものストッパーを準備する必要がないので、大変便利である。
【図面の簡単な説明】
【図１】（Ａ）は実施例に係わるフックハンガーストッパーの正面図、（Ｂ）は同ハンガーストッパーの右側面図である。
【図２】（Ａ）は実施例に係わるフックハンガーストッパーのバー固定孔Ｋ２に外径４ｍｍφのバー部材を固定した状態を示す説明図、（Ｂ）はバー固定孔Ｋ１に外径５ｍｍφのバー部材を固定した状態を示す説明図、（Ｃ）はバー固定孔Ｋ１に外径６ｍｍφのバー部材を固定した状態を示す説明図である。
【図３】実施例に係わるフックハンガーストッパーの使用状態を示す説明図である。
【図４】（Ａ）はフランジ部を備えないフックハンガーストッパーの正面図、（Ｂ）は同ハンガーストッパーの右側面図である。
【図５】３個のバー固定孔が団子状に配列されたフックハンガーストッパーの正面図である。
【図６】３個のバー固定孔が横列状に配列されたフックハンガーストッパーの正面図である。
【図７】四角形状のフランジ部を備えるフックハンガーストッパーの正面図である。
【図８】横列状に配列されたバー固定孔の挿入方向に、更にバー固定孔を形成したフックハンガーストッパーの正面図である。
【図９】（Ａ）は従来のフックハンガーストッパーの正面図、（Ｂ）は同ハンガーストッパーの右側面図である。
【符号の説明】
１：フックハンガーストッパー、１１：ストッパー本体、１１ａ、１１ｂ：脚部、１１ｃ：屋根部、１２：フランジ部、２：バー部材、３：吊り下げ商品、Ｓ：バー挿入孔、Ｋ１：第１バー固定孔、Ｋ２：第１バー固定孔。
【図１】
0004324280.tif 000002
【図２】
0004324280.tif 000003
【図３】
0004324280.tif 000004
【図４】
0004324280.tif 000005
【図５】
0004324280.tif 000006
【図６】
0004324280.tif 000007
【図７】
0004324280.tif 000008
【図８】
0004324280.tif 000009
【図９】
0004324280.tif 000010